(57)【要約】【課題】  被結束物の内容や送り先等に関するデータを容易にバンド表面に印字できる等の結束装置等を提供することを目的とする。【解決手段】  コイル状の被結束物の周囲を結束用のバンドによって結束する結束装置Ａが、バンドＢｄを結束装置本体１側へ供給する供給用ローラ１１と、この供給用ローラを駆動するモータと、前記バンドの表面に所定の文字あるいはマークを印字する印字装置７と、前記結束装置本体側へバンドを所定長さ分だけ供給したことを検知する検知手段（測長装置９，１５）と、これらの制御をおこなう制御装置Ｃｔを具備している。【選択図】        図１
2005231658.tif 000002
【特許請求の範囲】
【請求項１】
被結束物の周囲を結束用のバンドによって結束する結束装置であって、
この結束装置が、
前記バンドを結束装置本体側へ供給する供給用ローラと、
この供給用ローラを駆動するモータと、
前記バンド供給経路の、バンド先端から所定距離離間した位置に配置されて、前記バンドの表面に所定の文字あるいはマークを印字するレーザ印字装置と、
前記結束装置本体側へバンドを所定長さ分だけ供給したことを検知する検知手段と、
前記検知手段からの検知に基づいて前記モータを停止させ、前記印字装置によってバンド表面に印字するよう制御する制御装置を具備していることを特徴とする結束装置。
【請求項２】
前記検知手段が、バンドの結束装置本体側への供給長さを測長する測長装置であることを特徴とする請求項１記載の結束装置。
【請求項３】
被結束物の周囲を結束用のバンドによって結束する結束装置であって、
この結束装置が、
前記バンドを結束装置本体側へ供給する供給用ローラと、
前記供給用ローラを駆動するモータと、
前記バンドの表面に所定の文字あるいはマークを印字するレーザ印字装置と、
前記結束装置本体と印字装置の間に設けられるバンド供給バッファ装置と、
結束装置本体へ供給されるバンド長さを測長する測長装置と、
前記測長装置で測長しながら前記モータを所定回転数駆動して、バンドを結束装置本体側へ送り、バンドの先端から所定の位置に前記印字装置によって印字するよう制御する制御装置を具備していることを特徴とする結束装置。
【請求項４】
前記印字装置が前記結束装置本体からバンド供給経路の上流側に設けられるとともに、該結束装置本体と印字装置の間に、該結束装置本体へ供給されるバンドを一時的に蓄えるバンド供給バッファ装置を具備していることを特徴とする請求項３記載の結束装置。
【請求項５】
被結束物の周囲を結束用のバンドによって結束する結束装置であって、
この結束装置が、結束装置本体と別体になり被結束物の軸方向に移動自在になったレーザ印字装置を備え、
この印字装置が、印字装置本体と被結束物物に巻装されたバンドの位置を検出する検出装置と、この検出装置で印字しようとするバンドの位置が検出されると前記印字装置本体にバンド表面に印字をおこなわせるよう制御する制御装置を具備していることを特徴とする結束装置。
【請求項６】
前記バンドがスチールバンドであることを特徴とする請求項１〜５のいずれか１の項に記載の結束装置。
【発明の詳細な説明】
【技術分野】
【０００１】
本発明は、コイル状の被結束物の周囲をバンドで結束する結束装置に関し、特に前記バンドの表面に所定の文字あるいはマーク等を印字するレーザ印字装置を備えた結束装置に関する。
【背景技術】
【０００２】
被結束物、例えばコイル状に巻かれた薄板状の鋼板あるいは紙等は、コイル状に巻かれた状態でバンド（結束用のバンド）による結束がおこなわれるとともに、必要に応じて該被結束物の表面が包装された状態で、製造メーカ等から出荷される。
【０００３】
従来、このような被結束物について、その内容あるいは送り先等に関するデータは、被結束物そのものにチョーク性のもので印字するようなこともおこなわれるが、かかる場合、使用する際にはその印字部分をきれいに拭き取っておく必要がある。
【０００４】
また、別の手法として、紙あるいはプラチック等のタグに前記内容や送り先等のデータを記載し、該タグを被結束物に貼着したり針金等で付着することによって、出荷されていた。
【０００５】
しかし、前述のようにタグを被結束物に付着するのは、厄介な作業であるとともに、搬送中に損傷したり或いはちぎれたりすることがある。
かかる場合には、タグに記載することによって明確にしようとしているその内容あるいは送り先等が判らなくなる。
【０００６】
また、前記タグを付着する作業を無くすために、前記バンドに紙製等のタグを自動的に貼着するような装置も提供されていた（特許文献１参照）。
【特許文献１】特開２００４─１００８３号公報。
【発明の開示】
【発明が解決しようとする課題】
【０００７】
しかしながら、前記タグを被結束物を結束しているバンドに紙製等のタグを付着あるいは貼着する場合には、搬送中にタグが擦れて見え難くなったり、剥がれ落ちてしまうことがある。また、搬送終了後にはタグをいちいち剥がさなければならないが、この作業には結構時間を要する。また、前記装置の場合、タグをバンドに付着しているときには結束装置へ供給するバンドを停止させなければならず、高価な結束装置の稼働率を低下させることになっていた。
【０００８】
本発明は、このような状況に鑑みておこなわれたもので、被結束物の内容や送り先等に関するデータを、容易に、該被結束物を結束するバンドに印字でき且つ視認することができる結束装置を提供することを第１の目的とし、また、結束作業を低下させることのないの結束装置を提供することを第２の目的とする。
【課題を解決するための手段】
【０００９】
前記本発明の目的は、以下の構成からなる結束装置によって解決される。つまり、本第１の発明にかかる結束装置は、被結束物（例えば、コイル状の被結束物）の周囲を結束用のバンドによって結束する結束装置であって、
この結束装置が、
前記バンドを結束装置本体側へ供給する供給用ローラと、
この供給用ローラを駆動するモータと、
前記バンド供給経路の、バンド先端から所定距離離間した位置に配置されて、前記バンドの表面に所定の文字あるいはマークを印字するレーザ印字装置と、
前記結束装置本体側へバンドを所定長さ分だけ供給したことを検知する検知手段と、
前記検知手段からの検知に基づいて前記モータを停止させ、前記印字装置によってバンド表面に印字するよう制御する制御装置を具備していることを特徴とする。
【００１０】
また、本第２の発明にかかる結束装置は、被結束物（例えば、コイル状の被結束物）の周囲を結束用のバンドによって結束する結束装置であって、
この結束装置が、
前記バンドを結束装置本体側へ供給する供給用ローラと、
前記供給用ローラを駆動するモータと、
前記バンドの表面に所定の文字あるいはマークを印字するレーザ印字装置と、
前記結束装置本体と印字装置の間に設けられるバンド供給バッファ装置と、
結束装置本体へ供給されるバンド長さを測長する測長装置と、
前記測長装置で測長しながら前記モータを所定回転数駆動して、バンドを結束装置本体側へ送り、バンドの先端から所定の位置に前記印字装置によって印字するよう制御する制御装置を具備していることを特徴とする。
【００１１】
また、本第３の発明にかかる結束装置は、被結束物（例えば、コイル状の被結束物）の周囲を結束用のバンドによって結束する結束装置であって、
この結束装置が、結束装置本体と別体になり被結束物の軸方向に移動自在になった印字装置を備え、
この印字装置が、印字装置本体と被結束物物に巻装されたバンドの位置を検出する検出装置と、この検出装置で印字しようとするバンドの位置が検出されると前記印字装置本体にバンド表面に印字をおこなわせるよう制御する制御装置を具備していることを特徴とする。
【発明の効果】
【００１２】
前述のような構成からなる本第１の発明にかかる結束装置によると、結束装置本体側へ結束用のバンドを供給するのに、その供給長さを検知手段で検知し、この検知信号に基づいて制御装置は、前記バンドの供給をおこなう前記モータを停止させ、しかる後に、前記レーザ印字装置を用いてバンド表面に所定の内容や送り先等を示す文字あるいは記号等を印字（凹設）することができる。従って、本第１の発明によれば、前記バンドそのものの表面にレーザ印字装置によって直接印字（凹設）でき、そのため印字（凹設）されたデータはバンドが解かれない限り常に被結束物と一体の状態におかれる。しかも、レーザ印字装置であるため、レーザ光によってバンド表面が溶融されてその部分が変質しているため、バンドが他のものと擦れたりしても、表面に印字されているデータが読み取ることができない程の損傷を受けることはない。
従って、従来のタグのように脱落したりすることはない。しかも、被結束物に対して所望の位置に、具体的には視認し易い位置に、印字することが可能となる。
【００１３】
また、前述のような構成からなる本第２の発明にかかる結束装置によると、供給されるバンドを測長装置によって測長して印字位置を決定するため、供給しようとするバンドの正確な位置に印字することが可能となる。また、測長装置で結束装置本体側へのバンドの供給長さを測長するため、印字装置の配置位置の自由度が増加する。
勿論、第１の発明と同様に結束用のバンドそのものにレーザ印字装置を用いて印字（凹設）できるため、タグ等のように剥離したりする等がない。且つ、視認し易い位置に印字することができるため、結束後の被結束物に付されたデータを容易に視認することができる。
【００１４】
また、前述のような構成からなる本第３の発明にかかる結束装置によると、レーザ印字装置が、結束装置本体と別体になっているため、結束装置本体で結束終了後、あるいは被結束物の別の位置をバンドで結束している最中に既に結束が完了しているバンド表面に印字できるため、結束装置の稼働率が向上する。勿論、第１あるいは第２の発明と同様に結束用のバンドそのものに印字できるため、タグ等のように剥離したりする等がない。且つ、視認し易い位置に印字することができるため、結束後の被結束物に付されたデータを容易に視認することができる。
【発明を実施するための最良の形態】
【００１５】
また、前記第１の発明にかかる結束装置において、前記検知手段が、バンドの結束装置本体側への供給長さを測長する測長装置であると好ましい構成となる。しかし、この検知手段としては、バンドの先端等を検知するリミットスイッチ等で構成することもできる。
【００１６】
また、前記第２の発明にかかる結束装置において、前記印字装置が前記結束装置本体からバンド供給経路の上流側に設けられるとともに、該結束装置本体と印字装置の間に、該結束装置本体へ供給されるバンドを一時的に蓄えるバンド供給バッファ装置を具備していると、印字装置の配置位置の自由度がさらに増すとともに、結束動作中に、並行して次回あるいはそれ以降の結束に使用するバンドに印字することができるため、結束装置が印字のために停止する必要がなくなり、高い稼働率を得ることができる。
【００１７】
また、前記第１〜第３の発明にかかる結束装置において、前記バンドがスチールバンドであってもよく、あるいはビニール製のバンドであってもよい。
【実施例１】
【００１８】
以下、本願発明にかかる結束装置の実施例を図面を参照しながら具体的に説明する。
【００１９】
図１は発明の一実施例にかかる結束装置の全体の概略の構成を示す側面図（被結束物の通過方向から見た図）である。
【００２０】
図１に図示するように、この結束装置Ａは、側面視において全体がリング状になり内周部に内周方へ開放したガイド溝１ａを有する結束装置本体１と、この結束装置本体１の一側方（この図１では右方）に一体に近接・離間自在に配置された結束ヘッド装置３と、結束ヘッド装置３のバンド供給経路の上流側（図１においてヘッド装置３の右側）に配置されたバンド供給バッファ装置５と、このバンド供給バッファ装置５のさらに上流側（右側）に配置された印字装置７とを有する。
【００２１】
前記結束装置本体１の結束そのものに係わる部分は、この実施例では周知の構成のものが使用されている。つまり、外周部にリング状のフレーム１Ｂが配置され、前記ガイド溝１ａを内部に有する側面視がリング状のガイド部材１Ａがこのフレーム１Ｂよって保持されている。そして、前記ガイド溝１ａは、内周の面が内周方へ向かって開放されるとともに、この内周面の両縁部分に図示しない弾性部材が配置され、ガイド溝１ａ内を周回するバンド（図示せず）を前記ヘッド装置３が所定以上の力で引っ張ると該ガイド溝１ａから内方へバンドが突出し、被結束物Ｂの周囲を緊締するように構成されている。
【００２２】
また、前記ヘッド装置３は、下端部の揺動軸３Ａを中心に図１の実線で示す位置から二点鎖線で示す位置まで所望の角度で揺動可能に構成されている。このような揺動によって、被結束物の様々な大きさ（例えば、図１の実線と二点鎖線で表した被結束物Ｂ参照）に対応できることになる。
そして、この実施例では、前記ヘッド装置３内に、一対のローラからなる第２の測長装置９が配置され、この測長装置９は、結束装置Ａの制御装置Ｃｔ（図４参照）へ、供給したバンドＢｄの長さに関するデータを送るように、構成されている。そして、前記制御装置Ｃｔは、該制御装置Ｃｔ内の記憶装置内に記憶されている「結束装置本体１のガイド溝１ａ内をバンドが１周周回するのに必要な長さ（周回バンド長データという）」に関するデータと検知したデータの値とを比較し、これらの値が一致すると、ヘッド装置３内に内蔵されているバンドＢｄ供給用の第２の供給用ローラ１１のモータ（図示せず）を停止させるよう制御する。勿論、これに代えて、前記バンドＢｄの供給の停止を、該供給されるバンドＢｄの先端がリミットスイッチを押圧したときに停止するように構成してもよい。
【００２３】
また、前記ヘッド装置３は、前記制御装置Ｃｔの制御によってシリンダ１３が伸長させられることによって、図１の実線で示す位置から二点鎖線で示す位置まで揺動することができる。勿論、この揺動角度は、被結束物Ｂの大きさに合わせて、図１に示す二つの位置の間よりさらに大きく揺動することもあり、あるいは被結束物Ｂが二点鎖線で示すように大きな径の場合には、より小さい角度で揺動することもある。
さらに、前記制御装置Ｃｔは、前述のように揺動するとき（あるいは揺動後）、前記ヘッド装置３の供給用ローラ１１を逆転させることによって、その被結束物Ｂの周囲に沿うように前記バンドを引き戻し、該引き戻した状態で、公知の締結機構（図示せず）に供給されている結束金具（あるいは溶接等でおこなう場合もある）で、被結束物Ｂの周囲を周回しているバンドの先端部と基端部とを不動の状態に締結するよう構成されている。
【００２４】
また、前記バンド供給バッファ装置５は、前記印字が完了したバンドを内部に一時的に蓄えることができるように構成されている。この実施例の場合、前記バンド供給バッファ装置５は、幅がバンドの幅より少しだけ広くなった単なる箱状のもので構成されている。そして、この箱状の一部（この実施例では箱状の右下端の位置）にバンド供給口５ａと、他の部位（この実施例では箱状の左下端の位置）にバンド取り出し口５ｂが設けられている。そして、このバンド取り出し口５ｂには、バンドに所定の抵抗を与える機構を付設することによって、前記供給用ローラ１１の回転に起因して生じるバンド供給量以上にバンドが勝手にバンド供給バッファ装置５から出てしまうことがないように構成することが望ましい。
【００２５】
そして、この実施例では、前記印字装置７が、前述したバンド供給バッファ装置５のバンド取り出し口５ｂのバンド供給経路における上流側（図１において左側）に隣接して配置されている。この実施例では、印字装置７として、（株）キーエンス（本社：大阪市東淀川区東中島１−３−１４）の、レーザ光線による印字をおこなう、商品名「ＭＤＶ−Ｖ９６００シリーズの『ＹＶＯ4 LASER MARKER』」が、使用されている。この印字装置７は、レーザ光線を使用した印字装置であるにもかからわず超小型の形態を有し、内蔵したミラーを動かしてで所定範囲内に所望の文字を印字することができる。
【００２６】
そして、前記印字装置７のバンド供給経路におけるさらに上流方には、コイル状に使用されるバンドが巻装されたバンドマガジンから、該バンドをバンド供給バッファ装置５側へ引き出す第１の供給用ローラ１５が配置されている。この実施例では、この第１の供給用ローラ１５は、第１の測長装置としても機能するよう構成されている。この第１の供給用ローラ１５は、図示しないモータによって駆動される。また、前記それぞれの測長装置の具体的な構成としては、所定の径のローラの回転角度から、供給したバンドの長さを検知するような構成となっている。
【００２７】
また、前記第１および第２の供給用ローラ１１，１５を駆動するそれぞれのモータ（図４参照）、前記印字装置７、前記ヘッド装置３の締結機構（図示せず）、および測長装置９，（１５）等は、前記制御装置Ｃｔと、図４において一点鎖線で示すところの信号線Ｌによってそれぞれ連結されている。なお、図４において、ローラとモータを結ぶ二重線は、機械的連結を示す。
【００２８】
そして、前述のように構成された本結束装置Ａは、被結束物Ｂの結束に際して以下のように作用する。つまり、
被結束物Ｂを結束しようとする場合には、前記制御装置Ｃｔには、その被結束物Ｂに関するデータ、具体的には、結束に必要なバンドの長さに関するデータがセットされる。そして、前記第１の供給用ローラ１５のモータが制御装置Ｃｔによって作動させられ、バンドＢｄの先端から所定距離（この距離は、各被結束物Ｂによって、あるいは所望する被結束物Ｂの印字しようとする位置（例えば、被結束物Ｂの上面、左側面等）によって決められる距離）だけ送られて停止し、該停止した状態で、制御装置Ｃｔは前記印字装置７に所定の印字をするよう指示する。この所定の印字は、予め定めた所望の文字（図６参照）等であって、例えば、被結束物Ｂの内容や送り先等を示すものであってよい。
また、前述のように第１の供給用ローラ１５によって送りだされたバンドの先端は、前記バンド供給バッファ装置５内に位置している。
そして、前述のように所定の印字が終了すると、前記第１の供給用ローラ１５は、所定距離、つまり、次の印字すべき位置まで、バンドをバンド供給バッファ装置５側へ送りだす。
【００２９】
そして、バンドＢｄが前記バンド供給バッファ装置５内に所定長さ一時的に蓄えられ、該バンドＢｄの先端が、前記ヘッド装置３内の第２の供給用ローラ１１に至ると、制御装置Ｃｔは、前記第２の供給用ローラ１１のモータを制御して、所定回転数だけ回転させる。つまり、制御装置Ｃｔは、該制御装置Ｃｔ内の記憶装置内に記憶されている「結束装置本体１のガイド溝１ａ内をバンドが１周周回するのに必要な長さ（周回バンド長データという）」に関するデータと前記第２の測長装置９から得られるデータとを適宜タイミングで比較し、これらのデータの値が一致すると、ヘッド装置３内に内蔵されているバンドの第２の供給用ローラ１１のモータ（図示せず）を停止させるよう制御する。前述のように、このようなバンドの供給をリミットスイッチを用いておこなうこともできる。
そして、次に制御装置Ｃｔは、前記シリンダ１３を揺動させて該ヘッド装置３を被結束物Ｂに当接させる。
続いて、制御装置Ｃｔは、前記第２の供給用ローラ１１のモータ（図示せず）を逆転させて、バンドを引き戻して、該バンドが被結束物Ｂの周囲を所定圧力で周回する状態を形成する。
この状態から、制御装置Ｃｔは、次に、前記ヘッド装置３の締結機構を作動させて、結束金具で、ヘッド装置３内のバンドの先端と基端とを不動の状態に締結する。
そして、制御装置Ｃｔは、前記被結束物Ｂを下方で支持する搬送装置Ｄを作動させて、該被結束物Ｂを次の結束位置まで所定距離Ｌｂ（図５参照）だけ移動させ、前記の手順でもって結束をおこなう。
【００３０】
そして、このように被結束物Ｂを結束している最中においても、前記制御装置Ｃｔは、前記第１の供給用ローラ１５と印字装置７を作動させて、結束で使用した分だけ、将来使用するバンドに対して印字をおこない且つ前記バンド供給バッファ装置５内へ送り出し続けている。
【００３１】
従って、本結束装置Ａによれば、印字装置７によって、バンドの表面に所望の文字あるいはマークを印字でき、しかも、これらの印字は本来の結束作業を中断することなく実行することができる。
【実施例２】
【００３２】
ところで、前記実施例（実施例１）にかかる結束装置は、高い稼働率を具備する点で優れている。しかし、処理能力が低くてもよい場合には、図２に図示するような構成の結束装置とすることもできる。つまり、図２に図示する実施例２の場合、図１に示す前記バンド供給バッファ装置５と第１の供給用ローラ１５、測長装置９等を省略することができ、構成がシンプルになるとともに、制御装置Ｃｔの制御のプログラムもシンプルにできる点で優れている。具体的には、この図２に図示する実施例（実施例２）の場合には、ヘッド装置３の下方位置に、印字装置７を該ヘッド装置３のフレームとは別の部材に配設し、結束装置本体１の側面視においてリング状に配設されたガイド溝１ａ内にバンドを挿通した状態において、前記印字装置７が該バンドに印字をおこなうよう構成されている。従って、印字作業を途中でおこなわなければならないことから、本来的な結束作業はタクト的な運転となるが、構成をより簡素にできる点において優れた結束装置Ａとなる。
また、この実施例においては、バンドの先端がヘッド装置３の所定位置まで周回した状態をリミットスイッチ等で検知して、第２の供給用ローラ１１のモータを停止させるように構成すると、より簡素な構成とすることができる。
そして、この際、前記印字装置７自体をバンドに沿って上下動可能としておけば、所定の範囲内において、バンドの所定位置に印字することも可能となる。
なお、図２において、図１と同じあるいは対応する構成については、同じ参照符号を付して、図１に示す実施例と重複する構成とその動作の説明を省略する。
【実施例３】
【００３３】
図３に図示する別の実施例（実施例３）の場合には、印字装置７を、ヘッド装置３の上方の固定位置に設けている点、測長装置９を具備している点において、図２に図示する実施例のものと構成が異なる。つまり、この実施例（実施例３）の場合、実施例２のものに比べて、バンドのより広い領域に所望の印字ができる点において特長を有する。具体的には、第２の供給用ローラ１１によって、結束装置本体１内にバンドを供給する際に、バンドの先端から所定位置（バンドの先端から離間した印字したい位置が印字装置７の位置に位置するような位置）まで、前記測長装置９で実施例１の場合と同様に測長することによって、まずバンドを結束装置本体１のガイド溝１ａ内へ供給し、その位置で一時的にバンドの送りを停止し印字装置７によって印字する。次に、バンドを側面視においてリング状になった結束装置本体１のガイド溝１ａを周回するように、第２の供給用ローラ１１によって送り込む。この際、前記測長装置９によって、供給するバンド長さが、被結束物Ｂの周長に対応するよう、前記実施例１の場合と同様に、制御装置Ｃｔが、制御をおこなうように構成されている。
【００３４】
従って、この実施例の場合、実施例２の結束装置に比べて、バンド上において印字位置がより自由に選択できる点において特長を有する。
【００３５】
ところで、結束装置本体１側へバンドを所定長さ分だけ送るのに、検知手段として、前述のように測長装置を用いたり、あるいは図示しないリミットスイッチを用いたりすることができる。
なお、図３において、図１，図２と同じあるいは対応する構成については、同じ参照符号を付して、図１に示す実施例と重複する構成とその動作の説明を省略する。
【実施例４】
【００３６】
次に、印字装置７を、結束装置本体とは別体に設けた場合、つまり印字装置７を結束装置本体１に隣接してあるいは離間して設けた構成の結束装置Ａの実施例（実施例４）について、図７，図８を参照しながら説明する。
図７，図８に図示するように、印字装置７を、被結束物Ｂの搬送方向（図７の矢印Ｙ方向）と、これに直交する方向（図７の矢印Ｘ方向）およびこれらに直交する方向（図８の矢印Ｚ方向：上下方向）に移動自在に、つまり三次空間を移動自在に、前記結束装置本体１に隣接した位置に配設する。このように、印字装置７を、結束装置本体１と別体とすることによって、結束装置Ａ本来の結束作業に影響を及ぼすことなく、結束作業の後工程として、結束されたバンドに印字することが可能となる。また、結束装置本体１が既設の場合に適した構成となる。
【００３７】
この実施例にかかる結束装置Ａでは、前記印字装置７は、前記搬送方向（図７の矢印Ｙ方向）に配設された移動用レール２０上を移動する台車２２上に配置されている。また、台車２２と印字装置７との間には、前記搬送方向と直交する方向（図７の矢印Ｘ方向）に移動可能なベース部材２４と、このベース部材２４に対して上下方向（図８の矢印Ｚ方向）に移動可能になった昇降部材２６が配設されている。前記印字装置７は、該昇降部材２６上に配設されている。このように、この印字装置７は、被結束物Ｂに対して、前記３つの直交する方向を自在に所定距離移動可能になっている。
また、前記昇降部材２６には、被結束物Ｂに周回されている結束用の前記バンドの位置を検知する検知装置が設けられている。この検知装置としては、種々のものが考えられるが、例えば、接点がバンドに接触したときにその位置を検知する接触型の検知装置であってもよく、あるいはＣＣＤカメラ等を使用した形状認識型の検知装置であってもよい。
【００３８】
そして、前述のように構成された印字装置７でバンド表面に印字する場合には、以下のように作用する。つまり、搬送装置Ｄで結束装置本体１側から送りだされた被結束物Ｂは、印字ステーションで停止し、この状態で、前記台車２２がレール２２上を走行して、被結束物Ｂの前方位置で停止する。この位置決めは、結束装置Ａの制御装置Ｃｔ（図４参照）が予め記憶している被結束物Ｂの軸方向の長さに関するデータに基づいておこなわれる。
そして、次に、前記昇降部材２６が被結束物Ｂの印字しようとする部位に合わせて昇降する。この昇降の際の位置決めも、結束装置Ａの制御装置Ｃｔ（図４参照）が予め記憶している被結束物Ｂの径方向の寸法に関するデータおよび印字位置に関するデータに基づいておこなわれる。
そして、最後に、前記ベース部材２４が被結束物Ｂに向かって近接するよう移動する。そして、前記検知装置（この場合接触型の検知装置）が被結束物Ｂの表面に接触すると移動を停止する。この移動の際の位置決めも、結束装置Ａの制御装置Ｃｔ（図４参照）が予め記憶している被結束物Ｂの径方向の寸法に関するデータに基づいておこなわれる。
そして、接触すると次に前記台車２２が前記搬送方向（図７の矢印Ｙ方向）に移動して、結束しているバンドの位置を検出する。このようにバンドの位置が検出されると、前記印字装置７が所定の文字あるいはマークを印字をする。
【００３９】
なお、この実施例（実施例４）では、結束作業そのものをおこなう図示しない結束装置本体およびヘッド装置側の構成については、公知の形態のものが使用されるので、ここでは説明を省略する。
【００４０】
ところで、前記各実施例において被結束物は必ずしもコイル状のものに限定されるものでなく、キュービック状のものであっても、長尺状のものを集積したもの、あるいは板状のものを積層したものであってもよい。
【産業上の利用可能性】
【００４１】
本願発明にかかるは結束装置は、鋼板あるいは紙等のコイル状の被結束物の結束に用いることができる。
【図面の簡単な説明】
【００４２】
【図１】図１は発明の一実施例にかかる結束装置の全体の概略の構成を示す側面図（被結束物の通過方向から見た図）である。
【図２】図１とは異なる構成からなる第２の実施例にかかる結束装置の全体の概略の構成を示す側面図（被結束物の通過方向から見た図）である。
【図３】図１，図２とは異なる構成からなる第３の実施例にかかる結束装置の全体の概略の構成を示す側面図（被結束物の通過方向から見た図）である。
【図４】図１に示す結束装置の制御システムの概略の構成を示すブロック図である。
【図５】結束用のバンドで結束された状態の被結束物の状態を示す斜視図である。
【図６】図５等に示すバンド表面に文字が印字された状態を示すバンド表面に直交する方向から見た図である。
【図７】図１〜図３とは別の第４の実施例にかかる結束装置の要部（印字装置部分等）の構成を示す平面図である。
【図８】図７に示す結束装置の要部を示す図７のIIIV−IIIV矢視図である。
【符号の説明】
【００４３】
Ａ…結束装置
Ｂ…被結束物
Ｂｄ…バンド
１…結束装置本体
７…印字装置
９，１５…測長装置
１１…供給用ローラ
【図１】
2005231658.tif 000003
【図２】
2005231658.tif 000004
【図３】
2005231658.tif 000005
【図４】
2005231658.tif 000006
【図５】
2005231658.tif 000007
【図６】
2005231658.tif 000008
【図７】
2005231658.tif 000009
【図８】
2005231658.tif 000010